(57)【要約】      （修正有）【課題】パーソナルなスペースで部屋、机、使用者がそれぞれ１対１の関係の場所で、デスクライトを自動で点滅し、これに連動して天井照明も点滅することができるデスクライトを提供する。【解決手段】２種類の組み合わされたセンサを内蔵し、さらに天井照明を点滅できる送信機を内蔵し、送信機が自動で連動し天井照明を点滅する。デスクライトには動く人物を検知する焦電センサとセンサの前に物体の有無を検知する測距センサを組み合わせ、使用者が席に着いたときに焦電センサで検知し点灯し、使用者が考え事などをしてじっとしている場合は測距センサで使用者を検知し点灯を続ける。使用者が席から外れ、焦電センサと測距センサのどちらでも検知されない状態になると、設定した時間経過後に自動でデスクライトを消灯及び設定した時間経過後に天井照明も自動で消灯するセンサで構成にしている。【選択図】図１
0003179513.tif 000002
【実用新案登録請求の範囲】
【請求項１】
子供の部屋などのパーソナルなスペースで部屋、机、使用者がそれぞれ１対１の関係の場所で、焦電センサと測距センサが机に着いたり離れたりする人間を感知し、デスクライトを自動で点滅し、さらに天井照明を点滅できる送信機を内蔵し、送信機が自動で連動することにより天井照明も点滅することができるデスクライト。
【請求項２】
連動する照明は壁付け照明や床置き照明であってもかまわない。
【考案の詳細な説明】
【技術分野】
【０００１】  この発明は、デスクライトに係り、特に、子供部屋などの個室で使用するデスクライトで、２種類のセンサを組み合わせたセンサ及びリモコン送信機付照明器具に関する。
【背景技術】
【０００２】  従来から、オフィス向けに焦電センサもしくは測距センサのどちらかを内蔵したデスクライトはあった。しかし、使用者が動かずにいると消えてしまうことや、使用者でない者がデスクライトを設置してあるデスクの前を通った際に点灯してしまうなどの誤動作が起こることがあった。また、これを子供部屋など使用者以外が入ることが少ない環境での設置を想定し、天井照明も同時に自動で点滅できる機能を備えているデスクライトはなかった。
【先行技術文献】
【特許文献】
【０００３】
【特許文献１】特開２０１０−１４６９２３号公報
【考案の概要】
【考案が解決しようとする課題】
【０００４】  ２種類のセンサを組み合わせて検知することで、必要なときに消灯してしまうことがなくなり安心して使用できる。また、従来の測距センサのみの場合は本やパソコンなどがセンサ部の近傍にあると検知を続け消灯しない心配があったが、２種類のセンサで検知をすることによりこの誤作動を解消でき、省エネに貢献できる。さらに眼精疲労の低減のために部屋全体で明暗の差が大きくならないように天井照明も同時に自動で点灯することができる。また、消灯もデスクライトの消灯から使用者が安全に次の行動をした後で消灯するようにデスクライト消灯後任意に設定した時間で自動に消灯する。それらにより省エネだけでなく、使用者に安心を提供することができる
【課題を解決するための手段】
【０００５】  この考案は子供の部屋などのパーソナルなスペースで部屋、机、使用者がそれぞれ１対１の関係の場所で、焦電センサと測距センサが机に着いたり離れたりする人間を感知し、デスクライトを自動で点滅し、さらに天井照明を点滅できる送信機を内蔵し、送信機が自動で連動することにより天井照明も点滅することができるデスクライトである点に特徴を有する。
【考案の効果】
【０００６】  このデスクライトは２種類の組み合わされたセンサを内蔵し、さらに天井照明を点滅できる送信機を内蔵し、送信機が自動で連動し天井照明を点滅するため、使用者が付け忘れ、消し忘れをすることがないため省エネに貢献できるだけでなく点灯し忘れを防ぐことで新就学児童などデスクライトを使用する習慣のないユーザーに対して目の疲労に配慮した光環境が提供できる。また、スイッチに手が届かない小さな子供に対して自動で点滅するため使用しやすい設計になっている。さらに小さい子供が自動で点滅する照明器具を使用することで省エネに対する気づきがあり、省エネに対する意識を芽生えさせることも期待できる。
【図面の簡単な説明】
【０００７】
【図１】この考案の一実施例の使用状況図である。
【図２】器具内のセンサの斜視図と三面図である。
【考案を実施するための形態】
【０００８】  焦電センサと測距センサが机に着いたり離れたりする人間を感知し、デスクライトを自動で点滅し、さらに天井照明を点滅できる送信機を内蔵し、送信機が自動で連動することにより天井照明も点滅することができる機能をデスクライトに備えることである。
【実施例】
【０００９】  以下、図に示す実施例に基づきこの考案を詳述する。なおこれによってこの考案が限定されるものではない。まず、図１使用者とデスクライトと天井照明を記した図である。人が着席もしくは離席するとアのデスクライトに内蔵されたイの２種類の組み合わされたセンサが人を検知しアのデスクライトを点灯または消灯する。それと同時にエの天井照明にウの送信機から信号を送り点灯または消灯する。図２の２種類の組み合わされたセンサはオが焦電センサ、カが測距センサである。焦電センサが動く人物を検知するセンサで測距センサがセンサの前にものがあるかどうかを検知するセンサである。【００１０】  なお、この実施例では、デスクライトと天井照明を例に説明しているが、壁付け照明や床置き照明でもかまわいない。
【産業上の利用可能性】
【００１１】  主に就学児童が使うデスクライトに備えることである。
【符号の説明】
【００１２】  ア    デスクライト
イ    センサ
ウ    送信機
エ    天井照明
オ    焦電センサ
カ    測距センサ
【図１】
0003179513.tif 000003
【図２】
0003179513.tif 000004
【手続補正書】
【提出日】平成24年8月23日(2012.8.23)
【手続補正１】
【補正対象書類名】実用新案登録請求の範囲
【補正対象項目名】全文
【補正方法】変更
【補正の内容】
【実用新案登録請求の範囲】
【請求項１】
・焦電式と測距式の二つの特性を備えたセンサと自らの点滅制御を天井照明にも反映させる為の送信機を内蔵したことを特徴としたデスクライト
【手続補正２】
【補正対象書類名】明細書
【補正対象項目名】全文
【補正方法】変更
【補正の内容】
【考案の詳細な説明】
【技術分野】
【０００１】この考案は、人感センサ内蔵のデスクライトに係り、自らの点滅制御を天井照明にも反映させるため、さらに送信機を搭載した自動照明システムに関する。
【背景技術】
【０００２】従来の人感センサ付照明器具は、動く人物を検知して点滅を行う焦電式が主流であるが、使用者がじっとしていると消灯してしまう心配があった。他に測距式のセンサ技術もあるが、こちらは近傍に物体があると検知をし続け逆に消灯しないという問題があった。【０００３】さらに、この人感センサ付照明器具をひとつの起動スイッチとみなし、他の照明器具に自らの点滅を連動させるには、電気工事を伴う多額の費用が発生した。
【考案の概要】
【考案が解決しようとする課題】
【０００４】通常人感センサに使われている焦電式センサは、使用者が静止を続けると消灯してしまうといった特性を持っているため、デスクライトのような特定利用の照明器具には向かなかった。【０００５】また、一般家庭で特定利用者が当該人感センサを用いて、簡単に他の照明器具に自らの点滅を連動させることなどできなかった。
【課題を解決するための手段】
【０００６】この考案は子供部屋などのパーソナルなスペースにおいて、机、使用者がそれぞれ１対１の関係を持つ中で、デスクライトに内蔵された焦電式と測距式のふたつの特性を備えたセンサが、両者の弱点を補い合うことで誤作動がなくなり、机に着離する使用者を確実に感知しデスクライトを自動点滅させる。さらにこのデスクライトには、自らの点滅制御を天井照明にも反映させるために送信機も搭載されているため、簡単に遠隔自動照明システムを構築できる点に特徴を有する。
【考案の効果】
【０００７】人感センサに焦電式と測距式からなる２種類の特性を複合させたことにより、確実な検知が可能となり、使用者が静止を続けても消灯しない。また近傍に物体があっても消灯する。【０００８】また、送信機を内蔵して自らの点滅制御を天井照明にも反映させたため、部屋全体に明暗差をなくすことでの眼精疲労低減はもとより、使用者が付け忘れや消し忘れをすることがなくなり省エネにも貢献できる。【０００９】さらに天井照明を自動的に連動操作させることで、新就学児童などデスクライトを使用する習慣のない使用者にも、目の疲労に配慮した最適な光環境が提供できる。【００１０】デスクライトのスイッチに手が届かない小さな子供にも、自動点滅は使い易く同時に安全も確保できる。さらに幼い子供が遠隔自動照明システムを体験していく中で省エネに対する気づきがあり、それに対する意識を芽生えさせることも期待できる。
【図面の簡単な説明】
【００１１】
【図１】この考案の一実施例を示す使用状況図である。
【図２】人感センサの斜視図である。
【考案を実施するための形態】
【００１２】以下、図に示す実施例に基づきこの考案を詳述する。なおこれによってこの考案が限定されるものではない。
まず、図１は使用者とデスクライトと天井照明を示した状況図である。使用者が着席もしくは離席するとデスクライトａに内蔵された複合人感センサ１が使用者を検知しデスクライトａを点灯もしくは消灯させる。それと同時に天井照明ｂに送信機２から信号を送り遠隔に点灯もしくは消灯させる。図２は複合人感センサ１を詳細に示した斜視図である。組み合わされた２種類の内部センサは焦電センサ３、測距センサ４で構成されている。焦電センサ３は動く人物を検知するセンサで測距センサ４はセンサの前に物体があるかどうかを検知するセンサである。使用者が席に着いたときは焦電センサ３で検知し点灯し、使用者が考え事などをしてじっとしている場合は測距センサ４で使用者を検知し点灯を続ける。使用者が席から外れ、焦電センサ３と測距センサ４のどちらでも検知されない状態になると、任意設定した時間経過後自動でデスクライトａを消灯。その後は使用者が確実に離室してから消灯するように任意設定した時間経過後に天井照明ｂも自動で消灯する。このように遠隔自動照明システムは省エネだけでなく使用者に安心を提供することもできる。
【００１３】なお、この実施例では、デスクライトと天井照明を例に説明しているが、壁付け照明や床置き照明でも構わない。
【符号の説明】
【００１４】ａ  デスクライト
ｂ  天井照明
１  複合人感センサ
２  送信機
３  焦電センサ
４  測距センサ
【手続補正５】
【補正対象書類名】図面
【補正対象項目名】全図
【補正方法】変更
【補正の内容】
【図１】
0003179513.tif 000005
【図２】
0003179513.tif 000006